(57)【要約】【課題】小型化できる自動分析装置を提供する。【解決手段】第１及び第２試薬容器１３，１４を収納するための試薬ケース４０及びこの試薬ケース４０を覆う試薬カバー４１から成る試薬庫１７と、試薬庫１７内に配置された第１及び第２試薬容器１３，１４を混在可能に保持する第１及び第２試薬ラック１５，１６と、第１及び第２試薬ラック１５，１６を回動駆動する第１及び第２移動機構５１１，５１２と、第１及び第２試薬ラック１５，１６に保持された第１及び第２試薬容器１３，１４内の第１及び第２試薬を吸引して反応容器１９に吐出する分注を行う第１及び第２試薬分注プローブ２３，２７とを備え、試薬カバー４１は第１及び第２試薬ラックに保持された第１及び第２試薬容器内の第１及び第２試薬を吸引するために第１及び第２試薬分注プローブ２３，２７が進入する４つの第１及び第２開口部４３乃至４６を有する。【選択図】図４
2010266245.tif 000002
【特許請求の範囲】
【請求項１】
試料及びこの試料の検査項目に該当する試薬を反応容器に分注してその混合液を測定する自動分析装置において、
前記試薬の内の１試薬系及び２試薬系の第１試薬が収容された第１試薬容器及び前記２試薬系の第１試薬と対を成す第２試薬が収容された第２試薬容器を混在可能に保持する試薬ラックが回動可能に配置された試薬庫と、
前記試薬ラックに保持された前記第１試薬容器内の第１試薬を吸引して前記反応容器に吐出する分注を行う第１試薬分注プローブと、
前記試薬ラックに保持された前記第２試薬容器内の第２試薬を吸引して前記反応容器に吐出する分注を行う第２試薬分注プローブとを備え、
前記試薬庫は、
前記第１試薬容器及び前記第２試薬容器を収納するための試薬ケースと、
この試薬ケースを覆う前記試薬ラックに保持された前記第１及び第２試薬容器内の第１及び第２試薬を吸引するために前記第１及び第２試薬分注プローブが進入する第１及び第２開口部を設けた試薬カバーとを
有することを特徴とする自動分析装置。
【請求項２】
前記試薬ラックは、前記試薬ケース内に配置された前記第１及び第２試薬容器を混在可能に保持する第１試薬ラック、及び前記第１及び第２試薬容器を混在可能に保持する前記試薬ケース内の前記第１試薬ラックの外周に配置された第２試薬ラックにより構成され、
前記試薬カバーには、前記第１及び第２試薬ラックに保持された前記第１試薬容器内の第１試薬を吸引するために前記第１試薬分注プローブが進入する２つの第１開口部、及び前記第１及び第２試薬ラックに保持された前記第２試薬容器内の第２試薬を吸引するために前記第２試薬分注プローブが進入する２つの第２開口部が設けられていることを特徴とする請求項１に記載の自動分析装置。
【請求項３】
前記第２試薬分注プローブは、前記第１試薬分注プローブによる第１試薬の吸引後のタイミング、又は前記第１試薬分注プローブによる第１試薬の吸引前のタイミングで、前記試薬ラックに保持された前記第２試薬容器内の第２試薬を吸引することを特徴とする請求項１に記載の自動分析装置。
【請求項４】
前記第１及び第２試薬ラックは、夫々独立して回動可能に配置され、
前記第１試薬容器又は前記第２試薬容器の一方の試薬容器は、前記第１試薬ラック又は前記第２試薬ラックの一方の試薬ラックに保持され、他方の試薬容器は他方の試薬ラックに保持されることを特徴とする請求項２に記載の自動分析装置。
【請求項５】
前記第１試薬分注プローブによる第１試薬の分注と、前記第２試薬分注プローブによる第２試薬の分注が並行して行われるタイミングであることを特徴とする請求項４に記載の自動分析装置。
【請求項６】
前記第１又は第２試薬ラックに保持された各検査項目の第１及び第２試薬容器内の第１及び第２試薬を識別する第１及び第２試薬情報、並びにこの第１及び第２試薬情報に関連付けてその第１及び第２試薬容器の第１及び第２保持位置の情報を記憶する分析情報記憶手段と、
前記検査項目の分析が行われるとき、前記分析情報記憶手段に保存されたその検査項目の第１及び第２試薬情報に関連する第１及び第２保持位置の情報に基づいて、その第１保持位置の第１試薬容器をこの第１試薬容器を保持する試薬ラックに対応する前記第１開口部の下方へ移動し、その第２保持位置の第２試薬容器を保持する試薬ラックに対応する前記第２開口部の下方へ移動する移動機構と、
前記第１試薬分注プローブを前記移動機構により前記第１開口部の下方に移動された第１試薬容器内の第１試薬の吸引が可能な位置まで移動する第１試薬分注アームと、
前記第２試薬分注プローブを前記移動機構により前記第２開口部の下方に移動された第２試薬容器内の第２試薬の吸引が可能な位置まで移動する第２試薬分注アームとを
有することを特徴とする請求項２に記載の自動分析装置。
【発明の詳細な説明】
【技術分野】
【０００１】
本発明は、液体に含まれている成分を分析する自動分析装置に係り、特に、ヒトの血液や尿などの体液中に含まれる成分を分析する自動分析装置に関する。
【背景技術】
【０００２】
自動分析装置は生化学検査項目や免疫検査項目等を対象とし、被検体から採取された被検試料と各検査項目の試薬との混合液の反応によって生ずる色調や濁りの変化を、分光光度計や比濁計等の測光部で光学的に測定することにより、被検試料中の様々な検査項目成分の濃度や酵素の活性等で表される分析データを生成する。
【０００３】
この自動分析装置では、各検査項目の試薬を収容した試薬容器を試薬庫に収納してから、検査に応じて選択された検査項目の分析を行う。そして、サンプル分注プローブにより検査対象の被検試料を収容した試料容器から被検試料を吸引して反応容器に吐出する。また、試薬分注プローブにより試薬庫内の試薬容器から試薬を吸引して反応容器に吐出する。そして、反応容器に吐出された被検試料及び試薬の混合液を測光部で測定する。
【０００４】
ところで、分析可能な検査項目に応じた数の１試薬系及び２試薬系における第１試薬を収容した第１試薬容器が収納される第１試薬庫、及び２試薬系の第１試薬と対を成す第２試薬を収容した第２試薬容器が収納される第２試薬庫を備えた自動分析装置が知られている（例えば、特許文献１参照。）。
【０００５】
この第１試薬庫内に第１試薬容器を保持する第１試薬ラックが配置され、第１試薬容器内の第１試薬を第１試薬分注プローブで吸引可能な位置へ第１試薬ラックを移動駆動する機構を備えている。また、第２試薬庫内に第２試薬容器を保持する第２試薬ラックが配置され、第２試薬容器内の第２試薬を第２試薬分注プローブで吸引可能な位置へ第２試薬ラックを移動駆動する機構を備えている。
【先行技術文献】
【特許文献】
【０００６】
【特許文献１】特開２００８−１４５１２５号公報
【発明の概要】
【発明が解決しようとする課題】
【０００７】
しかしながら、分析可能な検査項目の種類の増加に伴い、多数の第１及び第２試薬容器を収納するための第１及び第２試薬庫を必要とするため、自動分析装置が大型化してしまう問題がある。
【０００８】
本発明は、上記問題点を解決するためになされたもので、小型化できる自動分析装置を提供することを目的とする。
【課題を解決するための手段】
【０００９】
上記目的を達成するために、本発明の自動分析装置は、試料及び試薬を反応容器に分注してその混合液を測定する自動分析装置において、前記試薬の内の１試薬系及び２試薬系の第１試薬が収容された第１試薬容器及び前記２試薬系の第１試薬と対を成す第２試薬が収容された第２試薬容器を混在可能に保持する試薬ラックが配置された試薬庫と、前記試薬ラックを回動駆動する機構と、前記試薬ラックに保持された前記第１試薬容器内の第１試薬を吸引して前記反応容器に吐出する分注を行う第１試薬分注プローブと、前記試薬ラックに保持された前記第２試薬容器内の第２試薬を吸引して前記反応容器に吐出する分注を行う第２試薬分注プローブとを備え、前記試薬庫は、前記第１試薬容器及び前記第２試薬容器を収納するための試薬ケースと、この試薬ケースを覆う前記試薬ラックに保持された前記第１及び第２試薬容器内の第１及び第２試薬を吸引するために前記第１及び第２試薬分注プローブが進入する第１及び第２開口部を設けた試薬カバーとを有することを特徴とする。
【発明の効果】
【００１０】
本発明によれば、試薬庫内に第１及び第２試薬容器を混在可能に保持する試薬ラックを回動可能に配置することにより、大型化を抑制して小型化を図ることができる。
【図面の簡単な説明】
【００１１】
【図１】本発明の実施例に係る自動分析装置の構成を示すブロック図。
【図２】本発明の実施例に係る分析部の構成を示す斜視図。
【図３】本発明の実施例に係る第１及び第２試薬容器の外観を示す図。
【図４】本発明の実施例に係る分析部の試薬庫、第１及び第２試薬ラック、反応ディスク、及び第１及び第２試薬分注アームの配置を示す平面図。
【図５】図４に示した試薬庫のＡ−Ａ線矢視断面図。
【図６】本発明の実施例に係る表示部に表示された試薬情報設定画面の一例を示す図。
【図７】本発明の実施例に係る表示部に表示された分析パラメータ設定画面の一例を示す図。
【図８】本発明の実施例に係る表示部に表示された試薬情報設定画面の一例を示す図。
【図９】本発明の実施例に係る試薬分注工程の構成を示す図。
【図１０】本発明の実施例に係る試薬分注工程の第１試薬分注工程を示すフローチャート。
【図１１】本発明の実施例に係る試薬分注工程の第２試薬分注工程を示すフローチャート。
【図１２】本発明の実施例に係る第１及び第２試薬分注工程の各ステップの動作のタイミングを示すタイミングチャート。
【発明を実施するための形態】
【００１２】
以下、本発明の実施例を説明する。
【実施例】
【００１３】
以下、本発明による自動分析装置の実施例を、図１乃至図１２を参照して説明する。
【００１４】
図１は、本発明の実施例に係る自動分析装置の構成を示したブロック図である。この自動分析装置１００は、各検査項目の標準試料や被検体から採取された被検試料と各検査項目に該当する試薬との混合液を測定して標準データや被検データを生成する分析部１０と、分析部１０の測定に関る各分析ユニットの駆動及び制御を行う分析制御部５０とを備えている。
【００１５】
また、自動分析装置１００で分析可能な検査項目の試薬を識別する試薬情報、及びこの試薬情報に関連する分析を可能にするための測定に必要な各試料の量や各試薬の量等の分析パラメータの保存を行う分析情報部５５と、分析部１０で生成された標準データや被検データを処理して検量データや分析データの生成を行うデータ処理部６０とを備えている。
【００１６】
更に、データ処理部６０で生成された検量データや分析データを印刷出力や表示出力する出力部７０と、各種コマンド信号の入力等を行う操作部８０と、分析制御部５０、分析情報部５５、データ処理部６０、及び出力部７０を統括して制御するシステム制御部９０とを備えている。
【００１７】
図２は、分析部１０の構成を示した斜視図である。この分析部１０は、標準試料や被検試料等の各試料を収容する試料容器１１と、この試料容器１１を移動可能に保持するサンプルラック１２と、各検査項目に該当する１試薬系及び２試薬系の第１試薬を収容する第１試薬容器１３と、２試薬系の第１試薬と対をなす第２試薬を収容する第２試薬容器１４とを備えている。
【００１８】
また、第１及び第２試薬容器１３，１４を収納する試薬庫１７と、この試薬庫１７に収納された第１及び第２試薬容器１３，１４を混在可能に保持する第１及び第２試薬ラック１５，１６と、この第１及び第２試薬ラック１５，１６に保持された第１及び第２試薬容器１３，１４内の第１及び第２試薬を識別する第１及び第２試薬情報を読み取るリーダ１８と、円周上に配置された複数の反応容器１９を回転可能に保持する反応ディスク２０とを備えている。
【００１９】
このように、第１及び第２試薬容器１３，１４の収納が可能な試薬庫１７を設けることにより、分析部１０の小型化を図ることができる。また、部品数を減らすことができるため、コストを低減して信頼性の向上を図ることができる。
【００２０】
また、サンプルラック１２に保持された試料容器１１内の試料を吸引して反応容器１９内へ吐出する分注を行うサンプル分注プローブ２１と、このサンプル分注プローブ２１を回動及び上下移動可能に保持するサンプル分注アーム２２と、第１及び第２試薬ラック１５，１６に保持された第１試薬容器１３内の第１試薬を吸引して各試料が吐出された反応容器１９内に吐出する分注を行う第１試薬分注プローブ２３とを備えている。
【００２１】
また、第１試薬分注プローブ２３を回動及び上下移動可能に保持する第１試薬分注アーム２４と、反応容器１９内に吐出された各試料と第１試薬の混合液を撹拌する第１撹拌子２５と、この第１撹拌子２５を回動及び上下移動可能に保持する第１撹拌アーム２６と、第１及び第２試薬ラック１５，１６に保持された第２試薬容器１４内の第２試薬を吸引して各試料及び第１試薬が吐出された反応容器１９内に吐出する分注を行う第２試薬分注プローブ２７とを備えている。
【００２２】
また、この第２試薬分注プローブ２７を回動及び上下移動可能に保持する第２試薬分注アーム２８と、反応容器１９内の各試料、第１試薬、及び第２試薬の混合液を撹拌する第２撹拌子２９と、第２撹拌子２９を回動及び上下移動可能に保持する第２撹拌アーム３０と、反応容器１９内の混合液に光を照射して光学的に測定する測光部３１と、測光部３１で測定を終了した反応容器１９内を洗浄する洗浄ユニット３２とを備えている。
【００２３】
そして、測光部３１は、反応容器１９に光を照射し、その反応容器１９内の標準試料や被検試料を含む混合液を透過した各検査項目の波長光を検出する検出信号に基づいて、例えば吸光度や吸光度の変化量で表される標準データや被検データを生成する。そして、生成した標準データや被検データをデータ処理部６０に出力する。
【００２４】
図３は、分析部１０の試薬庫１７に収納される第１及び第２試薬容器１３，１４の外観を示した図である。この第１及び第２試薬容器１３，１４は、第１及び第２試薬情報が例えば一次元又は二次元コード表示されたラベル１３ａ，１４ａを有し、夫々同じ形状及び寸法を成している。
【００２５】
そして、１試薬系及び２試薬系の第１の試薬情報には、第１試薬を識別する試薬ＩＤ、第１試薬の検査項目名、第１試薬の試薬名等が含まれている。また、２試薬系の第２試薬情報には、第２試薬を識別する試薬ＩＤ、第２試薬と対を成す第１試薬の検査項目名と同じ検査項目名、第２試薬の試薬名等が含まれている。
【００２６】
図１に示した分析制御部５０は、分析部１０の各分析ユニットを駆動する機構を有する機構部５１、及びこの機構部５１の各機構を制御して分析部１０の各分析ユニットを分析サイクル毎に所定のタイミングで作動させる制御部５２を備えている。
【００２７】
機構部５１は、分析部１０のサンプルラック１２を移動する機構、及び第１及び第２試薬ラック１５，１６を回動駆動して第１及び第２試薬ラック１５，１６に保持された第１及び第２試薬容器１３，１４を移動する第１及び第２移動機構５１１,５１２を備えている。また、サンプル分注プローブ２１に試料の吸引及び吐出を行わせるポンプを駆動する機構、第１試薬分注プローブ２３に第１試薬の吸引及び吐出を行わせるポンプを駆動する機構、第２試薬分注プローブ２７に第２試薬の吸引及び吐出を行わせるポンプを駆動する機構を備えている。
【００２８】
更に、反応ディスク２０を回転した後に停止する機構、サンプル分注アーム２２、第１試薬分注アーム２４、第２試薬分注アーム２８、第１撹拌アーム２６、及び第２撹拌アーム３０を夫々回動及び上下移動する機構、洗浄ユニット３２を上下移動する機構等を備えている。
【００２９】
制御部５２は、機構部５１の第１及び第２移動機構５１１,５１２を含む各機構を制御する制御回路を備えている。また、分析部１０のリーダ１８から出力された第１及び第２試薬情報に、この第１及び第２試薬情報を有する第１及び第２試薬容器１３，１４が保持された第１及び第２試薬ラック１５，１６の第１及び第２保持位置の情報を追加した第１及び第２試薬情報を分析情報部５５に出力する。
【００３０】
分析情報部５５は、自動分析装置１００で分析可能な各検査項目の第１及び第２試薬を識別する第１及び第２試薬設定情報及びこの試薬設定情報で識別される試薬を用いて分析可能にする検査項目の分析パラメータが保存される分析情報記憶部５６と、第１及び第２試薬設定情報にこの試薬設定情報に関連する分析パラメータ等を関連付けて分析情報記憶部５６に保存する分析情報薬管理部５７とを備えている。
【００３１】
分析情報管理部５７は、操作部８０の入力操作に応じてシステム制御部９０から供給される各検査項目の第１及び第２試薬設定情報を分析情報記憶部５６に保存する。また、各操作部８０の入力操作に応じてシステム制御部９０から供給される各検査項目の分析パラメータをこの分析パラメータに関連する第１及び第２試薬設定情報に関連付けて分析情報記憶部５６に保存する。
【００３２】
更に、分析制御部５０の制御部５２から出力される第１試薬情報を、この第１試薬情報を含む第１試薬設定情報に関連付けて分析情報記憶部５６に保存する。また制御部５２から出力される第２試薬情報を、この第２試薬情報を含む第２試薬設定情報に関連付けて分析情報記憶部５６に保存する。
【００３３】
データ処理部６０は、分析部１０の測光部３１から出力された標準データや被検データを処理して各検査項目の検量データや分析データを生成する演算部６１と、演算部６１で生成された標準データや分析データを保存するデータ記憶部６２とを備えている。
【００３４】
演算部６１は、測光部３１から出力された標準データ及びこの標準データの標準試料に予め設定された標準値から、各検査項目成分の濃度や活性と標準データの関係を表す検量データを生成し、生成した検量データを出力部７０に出力すると共にデータ記憶部６２に保存する。
【００３５】
また、測光部３１から出力された吸光度で表される被検データに対応する検査項目の検量データをデータ記憶部６２から読み出し、読み出した検量データを用いて測光部３１から出力された被検データから濃度値として表される分析データを生成する。また、吸光度変化量で表される被検データに、分析パラメータとして設定された所定の波長における分子吸光係数を含むファクタを乗ずることにより、酵素の活性値として表される分析データを生成する。そして、生成した分析データを出力部７０に出力すると共にデータ記憶部６２に保存する。
【００３６】
データ記憶部６２は、ハードディスク等のメモリデバイスを備え、演算部６１から出力された検量データを検査項目毎に保存する。また、演算部６１から出力された各検査項目の分析データを被検試料毎に保存する。
【００３７】
出力部７０は、データ処理部６０の演算部６１から出力された検量データや分析データを印刷出力する印刷部７１及び表示出力する表示部７２を備えている。そして、印刷部７１は、プリンタなどを備え、演算部６１から出力された検量データや分析データを予め設定されたフォーマットに従って、プリンタ用紙などに印刷する。
【００３８】
表示部７２は、ＣＲＴや液晶パネルなどのモニタを備え、演算部６１から出力された検量データや分析データを表示する。また、自動分析装置１００で検査可能な各検査項目の分析パラメータを設定するための分析パラメータ設定画面、各検査項目に該当する第１及び第２試薬設定情報を設定するための試薬情報設定画面、被検試料毎に被検試料を識別する氏名やＩＤ等の識別情報及び検査対象の検査項目を設定するための被検試料情報設定画面等を表示する。
【００３９】
操作部８０は、キーボード、マウス、ボタン、タッチキーパネルなどの入力デバイスを備え、検査項目毎の分析パラメータ、第１及び第２試薬設定情報、被検試料の識別情報及び検査項目等を設定するための入力操作を行う。また、出力部７０における表示部７２の被検試料情報設定画面で設定された被検試料毎に検査項目を分析するための操作を行う。
【００４０】
システム制御部９０は、ＣＰＵ及び記憶回路を備え、操作部８０からの操作により入力されたコマンド信号、各検査項目の分析パラメータの情報、第１及び第２試薬設定情報、被検試料の識別情報及び検査項目の情報等の入力情報を記憶回路に記憶した後、これらの入力情報に基づいて、分析制御部５０、分析情報部５５、データ処理部６０、及び出力部７０を統括してシステム全体を制御する。
【００４１】
次に、図１乃至図５を参照して、分析部１０における第１及び第２試薬の分注動作の概略及び試薬庫１７の構成の詳細を説明する。図４は、分析部１０の試薬庫１７、第１及び第２試薬ラック１５，１６、反応ディスク２０、及び第１及び第２試薬分注アーム２４，２８の配置を示す平面図である。図５は、図４に示した試薬庫１７のＡ−Ａ線矢視断面図である。
【００４２】
図４において、試薬庫１７は、反応ディスク２０の近傍に配置される。また、反応ディスク２０との間に位置する第１試薬分注アーム２４及びこの第１試薬分注アーム２４に対向して配置される第２試薬分注アーム２８の近傍に配置される。また、第１及び第２試薬ラック１５，１６は、試薬庫１７内に配置される。
【００４３】
第１試薬分注アーム２４は、各検査項目の分析が行われるとき、回動軸を中心として上停止位置における高さで回動して、各検査項目の第１試薬の分注を行うために第１試薬分注プローブ２３を破線で示した円形の第１軌道上を移動する。
【００４４】
そして、第１試薬分注プローブ２３を第１試薬ラック１５又は第２試薬ラック１６に保持された第１試薬容器１３内の第１試薬を吸引するための第１試薬吸引位置Ｔ１又は第１試薬吸引位置Ｔ２の一方の第１試薬吸引位置で停止した後、一方の第１試薬吸引位置の下方に停止した第１試薬容器１３内の第１試薬の吸引が可能な高さまで下へ移動する。
【００４５】
次いで、第１試薬を吸引した第１試薬分注プローブ２３を、一方の第１試薬吸引位置まで上へ移動した後、反応容器１９内に第１試薬を吐出する位置である第１試薬吐出位置Ｔ３へ移動する。そして、第１試薬分注プローブ２３により、第１試薬吐出位置Ｔ３の下方に停止した反応容器１９内へ第１試薬の吐出が行われる。
【００４６】
第２試薬分注アーム２８は、回動軸を中心として上停止位置における高さで回動して、各検査項目の第２試薬の分注を行うために第２試薬分注プローブ２７を破線で示した円形の第２軌道上を移動する。
【００４７】
そして、第２試薬分注プローブ２７を第１試薬ラック１５又は第２試薬ラック１６に保持された第２試薬容器１４内の第２試薬を吸引するための第２試薬吸引位置Ｔ４又は第２試薬吸引位置Ｔ５の一方の第２試薬吸引位置で停止した後、一方の第２試薬吸引位置の下方に停止した第２試薬容器１４内の第２試薬の吸引が可能な高さまで下へ移動する。
【００４８】
次いで、第２試薬を吸引した第２試薬分注プローブ２７を一方の第２試薬吸引位置まで上へ移動した後、反応容器１９内に第２試薬を吐出する位置である第２試薬吐出位置Ｔ６へ移動する。そして、第２試薬分注プローブ２７により、第２試薬吐出位置Ｔ６の下方に停止した第１試薬を収容する反応容器１９内へ、その第１試薬と対を成す第２試薬の吐出が行われる。
【００４９】
図５は、図４に示した試薬庫１７のＡ−Ａ線矢視断面図である。試薬庫１７は第１及び第２試薬が収容された第１及び第２試薬容器１３，１４を収納するための上側に開口部を有する試薬ケース４０と、この試薬ケース４０の開口部を覆う着脱自在の試薬カバー４１と、試薬ケース４０に収納された第１及び第２試薬容器１３，１４を保冷する冷却器４２を備えている。
【００５０】
試薬ケース４０内に第１及び第２試薬ラック１５，１６が回動可能に配置される。第１試薬ラック１５は、図４に示すように、試薬ケース４０に収納される第１及び第２試薬容器１３，１４を円周上に混在可能に配列保持する。また、第２試薬ラック１６は、第１試薬ラック１５の外周に配置され、第１試薬ラック１５に第１及び第２試薬容器１３，１４が配列保持される円周と中心を同じくする同心円の外円周上に、第１及び第２試薬容器１３，１４を混在可能に配列保持する。そして、第１及び第２試薬ラック１５，１６は、分析制御部５０における機構部５１の例えばモータを有する第１及び第２移動機構５１１，５１２により、第１及び第２試薬容器１３，１４の配列方向に夫々独立して回動される。
【００５１】
このように、第１及び第２試薬ラック１５，１６に夫々第１及び第２試薬容器１３，１４を混在させて配列保持させることができる。これにより、施設毎に検査項目の種類が異なり、検査項目の種類で１試薬系又は２試薬系に定まるため、第１試薬容器を収納する第１試薬庫の収納能力で分析可能な検査項目数が限定される第１及び第２試薬容器を第１及び第２試薬庫に分けて収納する場合よりも、多くの検査項目の試薬容器を収納することが可能となり、試薬庫１７に第１及び第２試薬容器１３，１４を効率よく収納することができる。
【００５２】
また、第１試薬容器１３を第２試薬庫に収納する作業ミスや第２試薬容器１４を第１試薬庫に収納する作業ミスを防ぐことができる。
【００５３】
更に、第１及び第２試薬ラック１５，１６を回動して第１及び第２試薬容器１３，１４を移動することにより、第１及び第２移動機構５１１，５１２の構成を単純化することができる。
【００５４】
なお、検査項目の数に応じて、第２試薬ラック１６の外周に第１及び第２試薬容器１３，１４を混在可能に保持する第３試薬ラックを配置するように実施してもよい。この場合、試薬庫１７は大きくなるものの、新たに試薬庫を設けるよりも分析部１０を小型化することができる。
【００５５】
試薬カバー４１は、試薬ケース４０内への外気の進入により、第１及び第２試薬容器１３，１４内の第１及び第２試薬が温度上昇して劣化するのを防ぐために設けられている。また、試薬ケース４０に収納された第１及び第２試薬容器１３，１４内の第１及び第２試薬が蒸発して濃縮するのを抑えるために設けられている。
【００５６】
そして、第１試薬ラック１５に保持された第１試薬容器１３内の第１試薬を吸引するために第１試薬分注プローブ２３が進入する第１試薬吸引位置Ｔ１の下方の位置に設けられた第１開口部４３と、第２試薬ラック１６に保持された第１試薬容器１３内の第１試薬を吸引するために第１試薬分注プローブ２３が進入する第１試薬吸引位置Ｔ２の下方の位置に設けられた第１開口部４４とを有する。このように、２つの第１開口部４３，４４を設けることにより、第１試薬容器１３が第１試薬ラック１５又は第２試薬ラック１６のいずれに保持された場合でも第１試薬を吸引することができる。
【００５７】
また、第１試薬ラック１５に保持された第２試薬容器１４内の第２試薬を吸引するために第２試薬分注プローブ２７が進入する第２試薬吸引位置Ｔ４の下方の位置に設けられた第２開口部４５と、第２試薬ラック１６に保持された第２試薬容器１４内の第２試薬を吸引するために第２試薬分注プローブ２７が進入する第２試薬吸引位置Ｔ５の下方の位置に設けられた第２開口部４６とを有する。このように、２つの第２開口部４５，４６を設けることにより、第２試薬容器１４が第１試薬ラック１５又は第２試薬ラック１６のいずれに保持された場合でも第２試薬を吸引することができる。
【００５８】
以下、図１乃至図１２を参照して、自動分析装置１００の試薬庫１７に収納された第１及び第２試薬容器１３，１４から第１及び第２試薬を吸引して反応容器１９に吐出する試薬分注動作の詳細を説明する。図６及び図８は、表示部７２に表示された試薬情報設定画面の一例を示す図である。図７は、表示部７２に表示された分析パラメータ設定画面の一例を示す図である。図９は、第１及び第２試薬を分注する試薬分注工程の構成を示す図である。図１０及び図１１は、図９に示した試薬分注工程の詳細を示すフローチャートである。図１２は、図１０及び図１１に示したフローチャートの各ステップにおける動作のタイミングを示すタイミングチャートである。
【００５９】
自動分析装置１００で分析可能な各検査項目の第１及び第２試薬設定情報が分析情報部５５の分析情報記憶部５６に保存されている。そして、試薬情報設定画面を表示させる操作が操作部８０から行われると、分析情報部５５の分析情報記憶部５６に保存された第１及び第２試薬設定情報を含む試薬情報設定画面が出力部７０の表示部７２に表示される。
【００６０】
図６は、表示部７２に表示された試薬情報設定画面の一例を示した図である。この試薬情報設定画面７３は、連番である「１」乃至「ｍ」の欄と、各「１」乃至「ｍ」の欄に対応する「項目」、「試薬」、及び「ＩＤ」等の欄とにより構成される。
【００６１】
「１」の欄に対応する「項目」の欄に検査項目名である例えば「ＡＳＴ」が表示され、「試薬」の欄に「項目」の欄に表示された「ＡＳＴ」における例えば２試薬系の第１試薬の試薬名である「ＡＳＴＩ」が表示されている。また、「ＩＤ」の欄に「試薬」の欄に表示された「ＡＳＴＩ」の試薬ＩＤである「１０００」が表示されている。
【００６２】
「２」の欄に対応する「項目」の欄に「１」の欄の「項目」の欄に表示された検査項目名と同じ「ＡＳＴ」が表示され、「試薬」の欄に「１」の欄の「試薬」の欄に表示された「ＡＳＴＩ」と対を成す第２試薬の試薬名である「ＡＳＴＩＩ」が表示されている。また、「ＩＤ」の欄に「試薬」の欄に表示された「ＡＳＴＩＩ」の試薬ＩＤである「１００１」が表示されている。
【００６３】
「３」の欄に対応する「項目」の欄に検査項目名である「ＴＰ」が表示され、「試薬」の欄に「項目」の欄に表示された「ＴＰ」における例えば１試薬系の第１試薬の試薬名である「ＴＰＩ」が表示されている。また、「ＩＤ」の欄に「試薬」の欄に表示された「ＴＰＩ」の試薬ＩＤである「１００５」が表示されている。
【００６４】
次に、分析パラメータの設定を行うために、分析パラメータ設定画面を表示させる操作が操作部８０から行われると、表示部７２に分析パラメータ設定画面が表示される。
【００６５】
図７は、表示部７２に表示された分析パラメータ設定画面の一例を示した図である。この分析パラメータ設定画面７４は、各分析パラメータを設定するための「項目」及び「試薬」等の欄により構成される。そして、操作部８０から各検査項目の分析パラメータを設定するための入力操作が行われると、分析情報管理部５７は、システム制御部９０から供給される分析パラメータをこの分析パラメータに関連する第１及び第２試薬設定情報に関連付けて分析情報記憶部５６に保存する。また、表示部７２に設定された分析パラメータが表示される。
【００６６】
「項目」の欄に設定された検査項目名が表示される。そして、分析情報記憶部５６に保存された第１又は第２試薬設定情報に含まれる検査項目名である例えば「ＡＳＴ」を設定する入力操作が操作部８０から行われると、ダイアログボックス７４１内に「ＡＳＴ」が表示される。
【００６７】
「試薬」の欄は、「項目」の欄に表示された検査項目の試薬を設定するための「第１試薬」及び「第２試薬」の欄と、「第１試薬」及び「第２試薬」の欄に設定した試薬を反応容器１９内に吐出させる分注量を設定するための「第１試薬量」及び「第２試薬量」の欄とにより構成される。
【００６８】
そして、「第１試薬」の欄に、分析情報記憶部５６に保存された第１試薬設定情報に含まれる第１試薬の試薬名である「ＡＳＴＩ」を設定する入力操作が行われると、ダイアログボックス７４２内に「ＡＳＴＩ」が表示される。また、「第２試薬」の欄に、分析情報記憶部５６に保存された第２試薬設定情報に含まれる第２試薬の試薬名である「ＡＳＴＩＩ」を設定する入力操作が行われると、ダイアログボックス７４３内に「ＡＳＴＩＩ」が表示される。
【００６９】
「第１試薬量」の欄に、「第１試薬」の欄に設定された第１試薬を反応容器１９内に吐出させる分注量として例えば１５０μＬを設定する入力操作が行われると、ダイアログボックス７４４内に「１５０」が表示され、「第２試薬量」の欄に、「第２試薬」の欄に表示された第２試薬を反応容器１９内に吐出させる分注量として５０μＬを設定する入力操作が行われると、ダイアログボックス７４５内に「５０」が表示される。
【００７０】
次に、各検査項目の分析に使用する第１及び第２試薬が収容された第１及び第２試薬容器１３，１４を試薬庫１７に収納した後、操作部８０から読み取り操作が行われると、試薬庫１７の第１及び第２試薬ラック１５，１６は、試薬庫１７に収納された第１及び第２試薬容器１３，１４を保持した状態で回動する。
【００７１】
リーダ１８は、第１及び第２試薬ラック１５，１６の回動中に、第１及び第２試薬ラック１５，１６に保持された全ての第１及び第２試薬容器１３，１４に貼付されたラベル１３ａ，１４ａから第１及び第２試薬情報を読み取って、その第１及び第２試薬情報を制御部５２に出力する。
【００７２】
制御部５２は、リーダ１８から出力された第１及び第２試薬情報に、この第１及び第２試薬情報を有する第１及び第２試薬容器１３，１４が保持された第１及び第２試薬ラック１５，１６の第１及び第２保持位置の情報を追加した第１及び第２試薬情報を分析情報部５５の分析情報管理部５７に出力する。分析情報管理部５７は、制御部５２から出力された第１及び第２試薬情報を、この第１試薬情報を含む第１試薬設定情報に関連付けて分析情報記憶部５６に保存する。
【００７３】
次いで、試薬庫１７に収納した第１及び第２試薬容器１３，１４を確認するために、試薬情報設定画面を表示させる操作が操作部８０から行われると、分析情報記憶部５６に保存された第１及び第２試薬設定情報を含む試薬情報設定画面画が表示部７２に表示される。
【００７４】
図８は、表示部７２に表示された試薬情報設定画面の一例を示した図である。この試薬情報設定画面７３ａが、図６の試薬情報設定画面７３と異なる点は、「位置」の欄が追加表示されている点である。
【００７５】
「位置」の欄には、「試薬」の欄に表示された「ＡＳＴＩ」の第１試薬容器１３が保持された例えば第１試薬ラック１５の第１保持位置である「１Ａ１」が表示されている。また、「試薬」の欄に表示された「ＡＳＴＩＩ」の第２試薬容器１４が保持された例えば第２試薬ラック１６の第２保持位置である「２Ａ１」が表示されている。更に、「試薬」の欄に表示された「ＴＰ」の第１試薬容器１３が保持された例えば第１試薬ラック１５の第１保持位置である「１Ａ２」が表示されている。
【００７６】
次に、表示部７２に被検試料情報設定画面を表示させて、被検試料の識別情報及び検査項目等を設定するための入力操作を行なった後、識別情報を設定した被検試料を収容した試料容器１１をサンプルラック１２に保持させる。そして、操作部８０から検査開始の操作が行われると、自動分析装置１００は、分析動作を開始する。
【００７７】
ここで、図８乃至図１２を参照して、自動分析装置１００が分析動作中に実行する図７の分析パラメータ設定画面７４で設定された検査項目である「ＡＳＴ」の試薬を分注する動作の一例を説明する。「ＡＳＴ」の第１及び第２試薬容器１３，１４は、第１及び２試薬ラック１５，１６の図８に示した試薬情報設定画面７３ａの「位置」の欄に表示された第１及び第２保持位置に保持されている。
【００７８】
図９は、第１及び第２試薬を分注する試薬分注工程の構成を示した図である。この試薬分注工程Ｓ１は、第１試薬を分注する第１試薬分注工程Ｓ１０及び第２試薬を分注する第２試薬分注工程Ｓ２０により構成される。
【００７９】
制御部５２は、システム制御部９０から供給される分析情報記憶部５６に保存された各検査項目の分析パラメータ、第１及び第２試薬設定情報、及び被検試料毎に設定された検査対象の検査項目の情報に基づき機構部５１の第１及び第２移動機構５１１，５１２を含む各機構を制御する。そして、第１及び第２試薬ラック１５，１６、反応ディスク２０、並びに第１及び第２試薬分注アーム２４，２８等の各分析ユニットを作動させて、試薬分注工程Ｓ１を実行する。
【００８０】
そして、操作部８０から検査開始の操作が行われた後、最初の所定の分析サイクルの間、第１試薬分注工程Ｓ１０だけが実行される。第１試薬分注工程Ｓ１０が実行された後、第１試薬分注工程Ｓ１０で分注された第１試薬を収容する反応容器１９が第２試薬吐出位置Ｔ６に到達する所定の分析サイクル以降において、第１試薬分注工程Ｓ１０及び第２試薬分注工程Ｓ２０、又は第２試薬分注工程Ｓ２０が実行される。
【００８１】
図１０は、試薬分注工程Ｓ１の第１試薬分注工程Ｓ１０を示したフローチャートである。この第１試薬分注工程Ｓ１０は、ステップＳ１１乃至ステップＳ１８により構成される。
【００８２】
第１試薬ラック１５は、回動して第１試薬吸引位置Ｔ１の下方まで第１保持位置「１Ａ１」の第１試薬容器１３を移動する（ステップＳ１１）。
【００８３】
第１試薬分注アーム２４は、ホームポジションから第１試薬吸引位置Ｔ１まで第１試薬分注プローブ２３を移動する（ステップＳ１２）。
【００８４】
ステップＳ１１及びステップＳ１２の後に、第１試薬分注アーム２４は、第１試薬吸引位置Ｔ１から下方の第１試薬容器１３内の第１試薬の吸引が可能な高さまで第１試薬分注プローブ２３を移動する（ステップＳ１３）。このとき、第１試薬分注プローブ２３は、試薬カバー４１の第１開口部４３から進入して第１試薬容器１３内に入る。
【００８５】
ステップＳ１３の後に、第１試薬分注プローブ２３は、第１試薬容器１３内の第１試薬を吸引する（ステップＳ１４）。
【００８６】
ステップＳ１４の後に、第１試薬分注アーム２４は、第１試薬の吸引が可能な高さから第１試薬吸引位置Ｔ１まで第１試薬分注プローブ２３を移動する（ステップＳ１５）。
【００８７】
ステップＳ１５の後に、第１試薬分注アーム２４は、第１試薬吸引位置Ｔ１から第１試薬吐出位置Ｔ３まで第１試薬分注プローブ２３を移動する（ステップＳ１６）。
【００８８】
ステップＳ１６の後に、第１試薬分注プローブ２３は、第１試薬吐出位置Ｔ３の下方に停止した反応容器１９内に第１試薬を吐出する（ステップＳ１７）。
【００８９】
ステップＳ１７の後に、第１試薬分注アーム２４は、第１試薬吐出位置Ｔ３からホームポジションまで第１試薬分注プローブ２３を移動する（ステップＳ１８）。
【００９０】
ホームポジションへ移動した後、第１試薬分注プローブ２３の洗浄が行われる。洗浄後、次の第１試薬の分注に備えて待機する。
【００９１】
図１１は、試薬分注工程Ｓ１の第２試薬分注工程Ｓ２０を示したフローチャートである。この第２試薬分注工程Ｓ２０はステップＳ２１乃至ステップＳ２８により構成され、第１試薬分注工程Ｓ１０で分注された第１試薬を収容する反応容器１９に対して、その第１試薬と対を成す第２試薬を分注する工程である。従って、第１試薬分注工程Ｓ１０が実行された後、第１試薬分注工程Ｓ１０で分注された第１試薬を収容する反応容器１９が、第２試薬吐出位置Ｔ６に到達する所定の分析サイクル後に実行される。
【００９２】
第２試薬ラック１６は、回動して第２試薬吸引位置Ｔ５の下方まで第２保持位置「２Ａ１」の第２試薬容器１４を移動する（ステップＳ２１）。
【００９３】
第２試薬分注アーム２８は、ホームポジションから第２試薬吸引位置Ｔ５まで第２試薬分注プローブ２７を移動する（ステップＳ２２）。
【００９４】
ステップＳ２１及びステップＳ２２の後に、第２試薬分注アーム２８は、第２試薬吸引位置Ｔ５から下方の第２試薬容器１４内の第２試薬の吸引が可能な高さまで第２試薬分注プローブ２７を移動する（ステップＳ２３）。このとき、第２試薬分注プローブ２７は、試薬カバー４１の第２開口部４６から進入して第１試薬容器１３内に入る。
【００９５】
ステップＳ２３の後に、第２試薬分注プローブ２７は、第２試薬容器１４内の第２試薬を吸引する（ステップＳ２４）。
【００９６】
ステップＳ２４の後に、第２試薬分注アーム２８は、第２試薬の吸引が可能な高さから第２試薬吸引位置Ｔ５まで第２試薬分注プローブ２７を移動する（ステップＳ２５）。
【００９７】
ステップＳ２５の後に、第２試薬分注アーム２８は、第２試薬吸引位置Ｔ５から第２試薬吐出位置Ｔ６まで第２試薬分注プローブ２７を移動する（ステップＳ２６）。
【００９８】
ステップＳ２６の後に、第２試薬分注プローブ２７は、第２試薬吐出位置Ｔ６の下方に停止した第１試薬を収容する反応容器１９内に、その第１試薬と対を成す第２試薬を吐出する（ステップＳ２７）。
【００９９】
ステップＳ２７の後に、第２試薬分注アーム２８は、第２試薬吐出位置Ｔ６からホームポジションまで第２試薬分注プローブ２７を移動する（ステップＳ２８）。
【０１００】
ホームポジションへ移動した後、第２試薬分注プローブ２７の洗浄が行われる。洗浄後、次の第２試薬の分注に備えて待機する。
【０１０１】
図１２は、図１０及び図１１に示した第１及び第２試薬分注工程Ｓ１０，Ｓ２０の各ステップの動作の１分析サイクルにおけるタイミングを示したタイミングチャートである。
【０１０２】
このタイミングチャート５３には、矢印Ｔ方向に実行される第１試薬分注工程Ｓ１０のステップＳ１１乃至Ｓ１８、及び第２試薬分注工程Ｓ２０のステップＳ２１乃至Ｓ２８に対応した第１及び第２試薬ラック１５，１６、反応ディスク２０、第１及び第２試薬分注アーム２４，２８、第１及び第２試薬分注プローブ２３，２７の動作開始タイミング、動作時間、及び動作終了タイミングが表されている。
【０１０３】
先ず、タイミングチャート５３の第１試薬分注工程Ｓ１０に対応する各ステップの動作のタイミングの詳細を説明する。
【０１０４】
タイミングチャート５３における凸部の「回動」は、第１試薬ラック１５による第１試薬容器１３の移動であるステップＳ１１に対応し、凸部の幅は第１試薬ラック１５の動作時間に対応している。この動作時間には、最大角度である１８０°を回すのに要する時間が割り当てられている。「回動」の動作開始タイミングは分析サイクル毎に不変なので、第１試薬容器１３の第１保持位置が第１試薬吸引位置Ｔ１の下方の近いほど動作が早く終了して、割り当てられた動作終了タイミングまでの余剰時間中、動作終了位置で待機している。
【０１０５】
なお、上述した凸部の「回動」の下側の破線で示した凸部の「回動」は、第２試薬ラック１６による第１試薬容器１３の移動に対応し、凸部の幅は第２試薬ラック１６の動作時間に対応している。この動作時間には、最大角度である１８０°を回すのに要する時間が割り当てられている。
【０１０６】
凸部の「吸引」及び「吐出」は、第１試薬分注プローブ２３による第１試薬の吸引及び吐出であるステップＳ１４，Ｓ１７に対応し、凸部の幅は第１試薬の吸引及び吐出の時間に対応している。この時間には、各測定項目の分析条件に最大の分注量が設定されたときに、その最大量を吸引及び吐出するのに要する時間が割り当てられている。「吸引」及び「吐出」の動作開始タイミングは分析サイクル毎に不変なので、設定された分注量が最大量よりも少ない場合、吸引及び吐出が早く終了して、割り当てられた動作終了タイミングまでの余剰時間中、動作終了位置で待機している。
【０１０７】
凸部の「Ｔ１」、「下」、「上」、「Ｔ３」、及び「ホームポジション」は、第１試薬分注アーム２４による第１試薬分注プローブ２３の移動であるステップステップＳ１２，Ｓ１３，Ｓ１５，Ｓ１６，Ｓ１８に対応している。
【０１０８】
次に、タイミングチャート５３の第２試薬分注工程Ｓ２０に対応する各ステップの動作のタイミングの詳細を説明する。
【０１０９】
タイミングチャート５３における凸部の「回動」は、第２試薬ラック１６による第２試薬容器１４の回動であるステップＳ２１に対応し、凸部の幅は第２試薬ラック１６の動作時間に対応している。この動作時間には、最大角度である１８０°を回すのに要する時間が割り当てられている。「回動」の動作開始タイミングは分析サイクル毎に不変なので、第２試薬容器１４の第２保持位置が第２試薬吸引位置Ｔ５の下方の近いほど動作が早く終了して、割り当てられた動作終了タイミングまでの余剰時間中、動作終了位置で待機している。
【０１１０】
なお、上述した凸部の「回動」の上側の破線で示した凸部の「回動」は、第１試薬ラック１５による第２試薬容器１４の回動に対応し、凸部の幅は第１試薬ラック１５の動作時間に対応している。この動作時間には、最大角度である１８０°を回すのに要する時間が割り当てられている。
【０１１１】
凸部の「吸引」及び「吐出」は、第２試薬分注プローブ２７による第２試薬の吸引及び吐出であるステップＳ２４，Ｓ２７に対応し、凸部の幅は第２試薬の吸引及び吐出の時間に対応している。この時間には、各測定項目の分析条件に最大の分注量が設定されたときに、その最大量を吸引及び吐出するのに要する時間が割り当てられている。「吸引」及び「吐出」の動作開始タイミングは分析サイクル毎に不変なので、設定された分注量が最大量よりも少ない場合、吸引及び吐出が早く終了して、割り当てられた動作終了タイミングまでの余剰時間中、動作終了位置で待機している。
【０１１２】
凸部の「Ｔ５」、「下」、「上」、「Ｔ６」、及び「ホームポジション」は、第２試薬分注アーム２８による第２試薬分注プローブ２７の移動であるステップステップＳ２２，Ｓ２３，Ｓ２５，Ｓ２６，Ｓ２８に対応している。
【０１１３】
なお、試薬分注工程Ｓ１及びタイミングチャート５３では、第１試薬分注プローブ２３による第１試薬の吸引後のタイミングで、第２試薬分注プローブ２７により第２試薬を吸引する分注について説明したが、第１試薬分注プローブ２３による第１試薬の吸引前のタイミングで第２試薬分注プローブ２７により第２試薬を吸引するように実施してもよい。
【０１１４】
また、第１及び第２試薬ラック１５，１６を連結し、タイミングチャート５３のステップＳ１２，２１のタイミングで、連結した第１及び第２試薬ラック１５，１６を１つの機構で回動駆動するように実施してもよい。これにより、機構部５１の２つの第１及び第２移動機構５１１，５１２を１つの機構に削減して、機構部５１の小型化を図ることができる。
【０１１５】
更に、２試薬系の第１試薬容器１３又はこの第１試薬容器１３と対を成す第２試薬容器１４の一方の試薬容器を、第１試薬ラック１５又は第２試薬ラック１６の一方の試薬ラックに保持させると共に、他方の試薬容器を他方の試薬ラックに保持させる。そして、第１及び第２試薬ラック１５，１６を独立して駆動制御して、第１試薬分注プローブ２３による第１試薬の分注と、第２試薬分注プローブ２７による第２試薬の分注が並行して行われるタイミングで実行させるように実施してもよい。これにより、１分析サイクル当たりの時間を短縮して、迅速に検査を行うことができる。この場合、分析情報記憶部５６にリーダ１８からの第１及び第２試薬情報が保存されたとき、分析情報管理部５７がリーダ１８から出力された第１及び第２試薬情報に含まれる第１及び第２保持位置の情報に基づいて、２試薬系の第１及び第２試薬容器１３，１４が同じ試薬ラックに保持されているか否かを判別することにより、試薬庫１７への２試薬系の第１及び第２試薬容器１３，１４の収納ミスを未然に防ぐことができる。
【０１１６】
以上述べた本発明の実施例によれば、第１及び第２試薬容器１３，１４の収納が可能な試薬庫１７を設け、試薬庫１７に収納した第１及び第２試薬容器１５，１６を混在可能に保持する第１及び第２試薬ラック１５，１６を第１及び第２移動機構５１１，５１２で回動することができる。
【０１１７】
また、試薬庫１７の試薬カバー４１に２つの第１開口部４３，４４を設けることにより、第１試薬容器１３が第１試薬ラック１５又は第２試薬ラック１６のいずれに保持された場合でも第１試薬を吸引することができる。
【０１１８】
更に、試薬庫１７の試薬カバー４１に２つの第２開口部４５，４６を設けることにより、第２試薬容器１４が第１試薬ラック１５又は第２試薬ラック１６のいずれに保持された場合でも第２試薬を吸引することができる。
【０１１９】
これにより、分析部１０の小型化の結果、自動分析装置１００の小型化を図ることができる。また、部品数を減らすことができるため、コストを低減して信頼性の向上を図ることができる。更に、試薬庫１７に第１及び第２試薬容器１３，１４を効率よく収納することができる。更にまた、第１及び第２試薬容器１３，１４を収納する作業ミスを防ぐことができる。
【符号の説明】
【０１２０】
Ｔ１，Ｔ２  第１試薬吸引位置
Ｔ３  第１試薬吐出位置
Ｔ４，Ｔ５  第２試薬吸引位置
Ｔ６  第２試薬吐出位置
１０  分析部
１３  第１試薬容器
１４  第２試薬容器
１５  第１試薬ラック
１６  第２試薬ラック
１７  試薬庫
１８  リーダ
１９  反応容器
２０  反応ディスク
２３  第１試薬分注プローブ
２４  第１試薬分注アーム
２７  第２試薬分注プローブ
２８  第２試薬分注アーム
４０  試薬庫
４１  試薬ケース
４２  試薬カバー
４３，４４  第１開口部
４５，４６  第２開口部
【図１】
2010266245.tif 000003
【図２】
2010266245.tif 000004
【図３】
2010266245.tif 000005
【図４】
2010266245.tif 000006
【図５】
2010266245.tif 000007
【図６】
2010266245.tif 000008
【図７】
2010266245.tif 000009
【図８】
2010266245.tif 000010
【図９】
2010266245.tif 000011
【図１０】
2010266245.tif 000012
【図１１】
2010266245.tif 000013
【図１２】
2010266245.tif 000014